(57)【特許請求の範囲】
【請求項１】
風の吹き出し口を構成するフレームの内外に連通して設けられた軸穴に回動可能に差し入れ組み付けられる組み付け部と、この軸穴への連通穴とを有する傾動プレートと、
当該傾動プレートにおける前記フレームの軸穴に向き合わない側から前記連通穴に回動可能に軸部を差し入れて当該傾動プレートに組み付けられた駆動側整流板と、
前記駆動側整流板の板面と板面を同じ向きに配し、かつ、当該駆動側整流板の回動に伴って、当該駆動側整流板と同じ向きに回動されるように、リンクバーにより当該駆動側整流板に連結され、かつ、前記傾動プレートに回動可能に組み付けられた一又は二以上の従動側整流板と、
前記フレームの軸穴を介して前記傾動プレートに組み付けられる組み付け部を有し、かつ、当該傾動プレートの連通穴に連通される挿通穴を回動軸線に沿って有する第一のギアと、
前記第一のギアの挿通穴に前記傾動プレートへの組み付け側と反対の側から差し入れられると共に、当該傾動プレートの前記連通穴に差し入れられた前記駆動側整流板の軸部に組み付けられる組み付け軸部を回動軸線に沿って突き出し状に備える第二のギアと、
この第二のギアに噛み合って当該第二のギアを回動させ、かつ、駆動側とされる第三のギアと、
この第三のギアに常時噛み合う第一ギア部と、第一のギアに噛み合う第二ギア部とを回動軸線方向に向けた異なる位置に備えたギア体とを有しており、
前記駆動側整流板の軸部に組み付けられた組み付け軸部を介して各整流板を所定角度分傾動させる位置まで前記第二のギアを回動させた状態において、前記第三のギアに噛み合って回動される前記ギア体の第二ギア部が第一のギアに噛み合わされて、この第一のギアが組み付けられた前記傾動プレートが前記フレームの軸穴を中心に傾動される構成としてあることを特徴とするルーバ機構。
【請求項２】
傾動プレートに回動可能に組み付けられた駆動側整流板及びこの駆動側整流板にリンクバーを介して連結された一又は二以上の従動側整流板とを備えた主整流板列と、
この主整流板列の側方に位置されると共に、吹き出し口を構成するフレームに回動可能に組み付けられた副整流板又はリンクバーを介して互いに同じ向きに回動可能に連結し合わされた複数の副整流板からなる副整流板列を有すると共に、
第二のギアにおける第三のギアとの噛み合い側と反対の側に噛み合うラック部を有する第一のスライドバーと、
前記副整流板又は前記副整流板列を構成する一つの副整流板の回動軸部に組み付けられる組み付け軸部を有する副整流板側ギアに噛み合うラック部を有する第二のスライドバーと、
前記第一のスライドバーと第二のスライドバーとの向き合った端部側間に、連結穴とこの連結穴に収まるピンとを介して組み付けられる連結バーと、
前記第二のギアの回動に伴なって移動される前記第二のスライドバーに、前記主整流板列の組み付けられた前記傾動プレートを傾動させる第一のギアの回動に至る直前で当接して当該第二のスライドバーの移動を阻止する阻止部とを有しており、
前記第一のスライドバー及び第二のスライドバーのいずれか一方の端部側にある前記連結穴には、前記阻止部により第二のスライドバーの移動が阻止された以降の前記第二のギアの回動に伴う前記連結バーの移動を許容するように、前記ピンの逃がし溝が連通されていることを特徴とする請求項１記載のルーバ機構。
【請求項３】
請求項１又は請求項２記載のルーバ機構を、吹き出し口の両側にそれぞれ、傾動プレートにおける当該吹き出し口の側端に向けられた側を当該吹き出し口の奥側に引き込ませる向きに当該傾動プレートを傾動させるように備えていることを特徴とするルーバ。
【発明の詳細な説明】
【０００１】
【発明の属する技術分野】
この発明は、各種の空調設備、装置を構成する風の吹き出し口に備えられるルーバ機構およびルーバの改良に関する。
【０００２】
【従来の技術】
各種の空調設備、装置を構成する風の吹き出し口に備えられるルーバにあっては、互いに板面を同じ向きに配する複数の整流板を有しており、典型的にはこの複数の整流板を同じ向きに傾動させるように動作させることにより、前記吹き出し口から吹き出される風の向きを可変している。
【０００３】
【発明が解決しようとする課題】
しかるに、従来のルーバにあっては、前記複数の整流板の傾動により、前記吹き出し口から吹き出される風の向きを左右あるいは前後おおむね可変できるものの、かかる吹き出し口から吹き出される風の全部あるいは大部分を当該吹き出し口の一方側あるいは中央側に集中的に案内し、吹き出させることはできないものであった。
【０００４】
そこで、この発明は、各種の空調設備、装置を構成する風の吹き出し口から吹き出される風を必要に応じて当該吹き出し口の一方側あるいは中央側に集中的に案内して、吹き出させることができるルーバ機構およびルーバの提供を目的とする。
【０００５】
【課題を解決するための手段】
前記目的を達成するために、請求項１記載の発明にあっては、ルーバ機構が、以下の（１）〜（８）の構成を備えたものとした。
（１）風の吹き出し口を構成するフレームの内外に連通して設けられた軸穴に回動可能に差し入れ組み付けられる組み付け部と、この軸穴への連通穴とを有する傾動プレートと、
（２）当該傾動プレートにおける前記フレームの軸穴に向き合わない側から前記連通穴に回動可能に軸部を差し入れて当該傾動プレートに組み付けられた駆動側整流板と、
（３）前記駆動側整流板の板面と板面を同じ向きに配し、かつ、当該駆動側整流板の回動に伴って、当該駆動側整流板と同じ向きに回動されるように、リンクバーにより当該駆動側整流板に連結され、かつ、前記傾動プレートに回動可能に組み付けられた一又は二以上の従動側整流板と、
（４）前記フレームの軸穴を介して前記傾動プレートに組み付けられる組み付け部を有し、かつ、当該傾動プレートの連通穴に連通される挿通穴を回動軸線に沿って有する第一のギアと、
（５）前記第一のギアの挿通穴に前記傾動プレートへの組み付け側と反対の側から差し入れられると共に、当該傾動プレートの前記連通穴に差し入れられた前記駆動側整流板の軸部に組み付けられる組み付け軸部を回動軸線に沿って突き出し状に備える第二のギアと、
（６）この第二のギアに噛み合って当該第二のギアを回動させ、かつ、駆動側とされる第三のギアと、
（７）この第三のギアに常時噛み合う第一ギア部と、第一のギアに噛み合う第二ギア部とを回動軸線方向に向けた異なる位置に備えたギア体とを有しており、
（８）前記駆動側整流板の軸部に組み付けられた組み付け軸部を介して各整流板を所定角度分傾動させる位置まで前記第二のギアを回動させた状態において、前記第三のギアに噛み合って回動される前記ギア体の第二ギア部が第一のギアに噛み合わされて、この第一のギアが組み付けられた前記傾動プレートが前記フレームの軸穴を中心に傾動される構成としてある。
【０００６】
かかる構成によれば、（ａ）駆動側とされる第三のギアの回動により第二のギアを回動させることができ、この第二のギアの回動により第一のギアの挿通穴内において回動される当該第二のギアの組み付け軸部に軸部を組み付けられた駆動側整流板を傾動させることができる。
【０００７】
（ｂ）また、前記駆動側整流板と前記リンクバーにより連結された従動側整流板を、当該駆動側整流板の傾動に伴って、この駆動側整流板と典型的には同じ角度分、同じ向きに、傾動させることができ、吹き出し口から吹き出される風の向きを左右又は上下に可変させることができる。
【０００８】
（ｃ）また、前記第三のギアに常時噛み合う第一ギア部により、当該第三のギアの回動に伴って前記ギア体を回動させることができ、このように回動されるギア体の第二ギア部を、各整流板を所定角度分傾動させる位置まで第二のギアが回動された状態において、前記第一のギアに噛み合わせることができる。
【０００９】
（ｄ）そして、このように第一のギアに第二ギア部を噛み合わせたギア体の回動により、この第一のギアの組み付け部に組み付けられた傾動プレートを、当該傾動プレートの組み付け部が回動可能に差し入れ組み付けられた前記フレームの軸穴を中心に、傾動させることができる。
【００１０】
（ｅ）そして、この傾動プレートの傾動により、この傾動プレートにそれぞれ回動可能に組み付けられた各整流板を所定の角度分傾動させた状態から、かかる各整流板の全体により吹き出し口から吹き出される風が所定の方向に案内されるように、各整流板を全体として移動させることができる。
【００１１】
前記傾動プレートの傾動は、前記各整流板がその板面を、略同一の平面に位置させるか、当該平面にその板面を沿わせるように、前記駆動側整流板を傾動させる第二のギアにより傾動させられた状態において開始されるように、前記第一のギアへの前記ギア体の第二ギア部の噛み合い位置を設定しておくことが最適とされる。このように設定した場合、吹き出される風の全部または大半を、前記各整流板の板面に沿わせて、前記傾動プレートの傾斜方向に案内させることができ、吹き出される風を一方向に集中させることができる。
【００１２】
（ｆ）また、前記のように傾動された傾動プレートは、前記第三のギアを逆転させて、前記第一のギアに第二ギア部を噛み合わせたギア体を逆向きに回動させることにより傾動前の位置に復帰させることができる。このように逆向きに回動されたギア体は、傾動プレートが傾動前の位置に復帰した段階で、前記第二ギア部と第一のギアとを噛み合わせない状態とされる。
【００１３】
かかる駆動側とされる第三のギアは、モータにより直接的に、または、当該モータの駆動軸との間に適宜配される他のギア列を介して間接的に回動させることができ、当該モータが正転と逆転とを繰り返すように制御することにより、前記各整流板が風の吹き出し方向に板面を沿わせる基準位置を中心に、当該各整流板を両側に向けて傾動させることができる。
【００１４】
また、請求項２記載の発明にあっては、請求項１記載の発明にかかるルーバ機構がさらに、以下の（１）〜（７）の構成を備えたものとした。
（１）傾動プレートに回動可能に組み付けられた駆動側整流板及びこの駆動側整流板にリンクバーを介して連結された一又は二以上の従動側整流板とを備えた主整流板列と、
（２）この主整流板列の側方に位置されると共に、吹き出し口を構成するフレームに回動可能に組み付けられた副整流板又はリンクバーを介して互いに同じ向きに回動可能に連結し合わされた複数の副整流板からなる副整流板列を有すると共に、
（３）第二のギアにおける第三のギアとの噛み合い側と反対の側に噛み合うラック部を有する第一のスライドバーと、
（４）前記副整流板又は前記副整流板列を構成する一つの副整流板の回動軸部に組み付けられる組み付け軸部を有する副整流板側ギアに噛み合うラック部を有する第二のスライドバーと、
（５）前記第一のスライドバーと第二のスライドバーとの向き合った端部側間に、連結穴とこの連結穴に収まるピンとを介して組み付けられる連結バーと、
（６）前記第二のギアの回動に伴なって移動される前記第二のスライドバーに、前記主整流板列の組み付けられた前記傾動プレートを傾動させる第一のギアの回動に至る直前で当接して当該第二のスライドバーの移動を阻止する阻止部とを有しており、
（７）前記第一のスライドバー及び第二のスライドバーのいずれか一方の端部側にある前記連結穴には、前記阻止部により第二のスライドバーの移動が阻止された以降の前記第二のギアの回動に伴う前記連結バーの移動を許容するように、前記ピンの逃がし溝が連通されている。
【００１５】
かかる構成によれば、（ａ）主整流板列を構成する各整流板の傾動をさせる第二のギアの回動に伴って、前記第一、第二のスライドバーおよび連結バーを介して副整流板側ギアを回動させることができる。
【００１６】
（ｂ）そして、副整流板側ギアの回動に伴って副整流板又はリンクバーを介して連結された前記副整流板列を構成する一つの副整流板を回動させることができ、主整流板列を構成する各整流板の傾動と同時に、典型的には同じ角度分、同じ向きに、この主整流板列の側方において副整流板又は副整流板列を構成する各副整流板を傾動させることができる。
【００１７】
（ｃ）また、前記第二のスライドバーに対して、前記主整流板列の組み付けられた前記傾動プレートを傾動させる第一のギアの回動に至る直前で当接して当該第二のスライドバーの移動を阻止する阻止部が設けられていると共に、この阻止部に移動を阻止された以降の第二のギアの回動に伴う連結バーの移動を許容するように、前記ピンの収まる連結穴に当該ピンの逃がし溝が連通されていることから、主整流板列は前記傾動プレートの傾動により全体として傾動されるが、前記副整流板又は副整流板列を構成する各副整流板は、当該主整流板列の全体としての傾動がされるまでの間に限り、主整流板列を構成する各整流板の傾動と連動して傾動される。
【００１８】
（ｄ）また、前記のように傾動された傾動プレートを傾動前の位置に戻す向きに前記ギア体を回動させる第三のギアの回動に伴う第二のギアの回動により、逃がし溝からピンを抜き出させて当該ピンを連結穴に収め戻すように第一、第二のスライドバーおよび連結バーを移動させることができ、これにより副整流板側ギアを再び回動させて前記副整流板又は副整流板列を構成する各副整流板を傾動させることができる。
【００１９】
かかる構成によれば、前記傾動プレートの傾動による前記主整流板列の全体としての傾動の向きを、このように全体として傾動される主整流板列によって吹き出される風が副整流板又は副整流板列側に案内されるように設定しておくことにより、副整流板又は副整流板列が設けられた箇所から集中的に風が吹き出されるようにすることができる。
【００２０】
また、請求項３記載の発明にあっては、ルーバを、請求項１又は請求項２記載のルーバ機構を、吹き出し口の両側にそれぞれ、傾動プレートにおける当該吹き出し口の側端に向けられた側を当該吹き出し口の奥側に引き込ませる向きに当該傾動プレートを傾動させるように備えている構成のものとした。
【００２１】
かかる構成によれば、吹き出し口の両側に備えられたルーバ機構を構成する一方の傾動プレートのみを、当該傾動プレートにおける当該吹き出し口の側端に向けられた側を当該吹き出し口の奥側に引き込ませる向きに傾動させるように動作させることによって、吹き出される風を傾動プレートを傾動させていない他方のルーバ機構側から集中的に吹き出させることができる。
【００２２】
また、吹き出し口の両側に備えられたルーバ機構を構成する双方の傾動プレートを、当該傾動プレートにおける当該吹き出し口の側端に向けられた側を当該吹き出し口の奥側に引き込ませる向きに傾動させるように動作させることによって、吹き出される風を吹き出し口の中央側から集中的に吹き出させることができる。
【００２３】
【発明の実施の形態】
以下、この発明にかかるルーバ機構Ｒおよび当該ルーバ機構Ｒを用いて構成されるルーバＲ’の典型的な実施の形態の一つを、図１ないし図２９に基づいて説明する。
【００２４】
なお、ここで図１から図２４は、この実施の形態にかかるルーバ機構Ｒにそれぞれ関するものであり、図１は、かかるルーバ機構Ｒを構成する主整流板列１、副整流板列２および駆動ユニット３ならびに吹き出し口Ｆの要部を斜視の状態で示している。また、図２は、主整流板列１の構成を理解し易いように、当該主整流板列１を構成する各部品を分離し、かつ、駆動側整流板１０’に組み付けられる第二のギア３３および傾動プレート１１に組み付けられる第一のギア３２と共に斜視の状態で示している。また、図３は、ルーバ機構Ｒの組み付け状態を理解し易いように、吹き出し口Ｆを構成するフレーム１００を当該吹き出し口Ｆの長さ方向に沿って断面にし、かつ、この向きでルーバ機構Ｒを構成する主整流板列１と副整流板列２を断面にして示している。また、図４は、主整流板列１を構成する駆動側整流板１０’の組み付け部分を図３の断面の向きに直交する向きで断面にして示している。また、図５は、駆動ユニット３の構成を理解し易いように、当該駆動ユニット３を構成する各部品を分解して斜視の状態として示している。また、図６および図７は、駆動ユニット３を構成する各ギア３２、３３、３４およびギア体３８ならびに第一のスライドバー３９の組み合わさり方を理解し易いように、これらを斜視の状態として示している。また、図８は、第一のギア３２とギア体３８の組み合わさり状態を理解し易いように、これらを平面から見た状態で示している。また、図９は、基準位置Ｓに各整流板１０…、２０…を位置させた状態を吹き出し口Ｆにおける吹き出し前方側から見て、また、図１０は、図９の状態を吹き出し口Ｆを平面から見た状態で示している。また、図１１は、図９および図１０の状態における駆動ユニット３を構成する各部品の配置を示している。また、図１２は、前記基準位置Ｓから反時計回りに各整流板１０…、２０…を傾動させた通常傾動状態Ｍａを、図１３は、図１２の状態における駆動ユニット３を構成する各部品の配置を示している。また、図１４は、前記基準位置Ｓから時計回りに各整流板１０…、２０…を傾動させた通常傾動状態Ｍａを、図１５は、図１４の状態における駆動ユニット３を構成する各部品の配置を示している。また、図１６は、図１４に示される状態から、主整流板列１を全体傾動状態Ｍｂとした状態を、また、図１７は、かかる全体傾動状態Ｍｂ開始段階または終了段階での駆動ユニット３を構成する各部品の配置を、図１８は、かかる全体傾動状態Ｍｂにあってもっとも傾動プレート１１が傾動された段階での駆動ユニット３を構成する各部品の配置を、それぞれ示している。また、図１９ないし図２１は、通常傾動状態Ｍａにおける第一のギア３２とギア体３８との位置関係をそれぞれ示しており、図１９が基準位置Ｓに各整流板１０…、２０…がある段階、図２０が反時計回り、図２１が時計回りに前記各整流板１０…、２０…が傾動された段階におけるかかる位置関係を示したものである。また、図２２ないし図２４は、全体傾動状態Ｍｂにおける第一のギア３２とギア体３８との位置関係をそれぞれ示しており、図２２が全体傾動状態Ｍｂ開始直前または終了直後の段階、図２３が開始直後または終了直前の段階、図２４が前記傾動プレート１１をもっとも傾動させた段階におけるかかる位置関係を示したものである。
【００２５】
また、図２５は、この実施の形態にかかるルーバＲ’の構成を理解し易いように、風の吹き出し口Ｆの一方側に備えられるルーバ機構Ｒを斜視の状態として、また、図２６は、かかる風の吹き出し口Ｆの他方側に備えられるルーバ機構Ｒを斜視の状態として、それぞれ示している。また、図２７および図２８は、一方側のルーバ機構Ｒを構成する主整流板列１を全体傾動状態ＭｂとしたルーバＲ’の構成を、図２９は、双方のルーバ機構Ｒ、Ｒを構成する主整流板列１を全体傾動状態ＭｂとしたルーバＲ’の構成を、吹き出し口Ｆを平面から見てそれぞれ示している。
【００２６】
（ルーバ機構Ｒ）
先ず、この実施の形態にかかるルーバ機構Ｒについて説明する。
【００２７】
この実施の形態にかかるルーバ機構Ｒは、各種の空調設備・装置における風の吹き出し口Ｆに備え付けられて、当該吹き出し口Ｆから吹き出される風の向きを可変させる用途で用いられるものである。
【００２８】
この実施の形態にあっては、かかるルーバ機構Ｒは、細長く構成された前記吹き出し口Ｆを形作るフレーム１００における、長さ方向に亙る向き合った側板１０１の一方に対して当該吹き出し口Ｆの内側において回動可能に取り付けられる主整流板列１および副整流板列２と、当該吹き出し口Ｆの外側にあってこれら整流板列１、２を構成する各整流板１０…、２０…を吹き出される風の向きを可変するように傾動させる駆動ユニット３とを備えている。
【００２９】
この実施の形態にあっては、前記主整流板列１および副整流板列２はいずれも、複数の整流板１０…、２０…から構成されている。この実施の形態にあっては、主整流板列１が５枚の整流板１０、１０…、副整流板列２が３枚の副整流板２０、２０…によって構成してある。各整流板列１、２の整流板１０、２０はそれぞれ、傾動の前後に亙っていずれも板面を同じ向きに、略平行とするように配されている。また、これらの整流板１０、２０はいずれも、前記回動組み付け側とされる前記の向き合った一方の側板１０１の側から他方の側板１０１の側に向けて突き出されるように配され、かつ、その先端部と当該他方の側板１０１との間に隙間が残されるように備えられている。また、この実施の形態にあっては、前記主整流板列１が吹き出し口Ｆの側端１０２側に位置され、前記副整流板列２が当該主整流板列１の側方であって、当該吹き出し口Ｆの中央１０３側に位置される構成としてある。
【００３０】
前記主整流板列１は、前記フレーム１００を構成する一方の側板１０１に内外を連通するように設けられた軸穴１０４によって回動可能に組み付けられる傾動プレート１１と、この傾動プレート１１にそれぞれ回動可能に組み付けられる５枚の整流板１０、１０…と、この各整流板１０、１０…を連結するリンクバー１２とにより構成してある。
【００３１】
前記傾動プレート１１は、その板面を前記側板１０１の内面に略平行とするように配されると共に、前記各整流板１０、１０…を回動可能に組み付ける五つの軸穴１１ａ、１１ａ…を間隔を開けて有している。かかる五つの軸穴１１ａ、１１ａ…のうち、前記吹き出し口Ｆの側端１０２から数えて四つ目の軸穴１１ａにおける側板１０１の側に向けられた穴縁部に、当該側板１０１に設けられた前記軸穴１０４に回動可能に差し入れ、組み付けられる組み付け部１１ｂが形成されている。この組み付け部１１ｂをもって前記側板１０１の軸穴１０４に回動可能に組み付けられた状態で、当該傾動プレート１１のこの組み付け部１１ｂの設けられた軸穴１１ａが当該側板１０１の軸穴１０４に連通されるものとされ、かかる組み付け部１１ｂの設けられた軸穴１１ａが当該側板１０１の軸穴１０４に対する連通穴１１ｃとされる。
【００３２】
より詳細には、前記傾動プレート１１の前記組み付け部１１ｂは、円形状をなす前記連通穴１１ｃの穴縁との間に間隔を開け、かつ、当該連通穴１１ｃを巡る向きにあって互いに略等しい間隔を開けて突設された四つの弾性掛合片１１ｄ、１１ｄ…によって構成してある。各弾性掛合片１１ｄ、１１ｄ…は先端部に外向きの掛合爪１１ｅを有すると共に、外面を前記連通穴１１ｃの円弧に沿った弧状面としている。そして、かかる傾動プレート１１は、かかる各弾性掛合片１１ｄ、１１ｄ…を前記側板１０１の内側から当該側板１０１の軸穴１０４に差し入れることに伴って当該軸穴１０４の穴縁に掛合爪１１ｅを突き当てさせて各弾性掛合片１１ｄ、１１ｄ…を内向きに撓め、この掛合爪１１ｅが側板１０１の外側における当該側板１０１の軸穴１０４の穴縁を乗り越えた位置で各弾性掛合片１１ｄ、１１ｄ…を弾性復帰させて、掛合爪１１ｅを側板１０１の外側の軸穴１０４の縁部に掛合させ、当該側板１０１の軸穴１０４に回動可能に組み付けられている。
【００３３】
また、かかる四つの弾性掛合片１１ｄ、１１ｄ…のうち、向き合った一対の弾性掛合片１１ｄ、１１ｄの内側には、当該弾性掛合片１１ｄの突き出し方向に延びるリブ状の掛合突部１１ｆが設けてあり、この掛合突部１１ｆを利用して後述する駆動ユニット３を構成する第一のギア３２の組み付けがなされる構成としてある。
【００３４】
次いで、前記主整流板列１を構成する各整流板１０、１０…は、いずれも、前記傾動プレート１１における前記側板１０１に向き合わない側の面に接する鍔部１０ａを備えると共に、この鍔部１０ａを挟んだ一方側に当該傾動プレート１１の円形状をなす前記軸穴１１ａに回動可能に差し入れ、組み付けられる組み付け部１０ｂを、当該鍔部１０ａを挟んだ他方側に板状部１０ｃを有する構成としてある。かかる各整流板１０、１０…の組み付け部１０ｂはいずれも、先端に外向きの掛合爪１０ｅを備えた向き合った一対の弾性掛合片１０ｄ、１０ｄとして構成してある。また、各弾性掛合片１０ｄ、１０ｄは、その外面を前記軸穴１１ａの円弧に沿った弧状面としている。そして、各整流板１０、１０…は、かかる一対の弾性掛合片１０ｄ、１０ｄを前記傾動プレート１１の軸穴１１ａに差し入れることに伴って当該軸穴１１ａの穴縁に掛合爪１０ｅを突き当てさせて各弾性掛合片１０ｄ、１０ｄを内向きに撓め、この掛合爪１０ｅが差入側と反対の側の当該軸穴１１ａの穴縁を乗り越えた位置で各弾性掛合片１０ｄ、１０ｄを弾性復帰させて、掛合爪１０ｅを当該軸穴１１ａの縁部に掛合させ、当該傾動プレート１１の軸穴１１ａに回動可能に組み付けられている。
【００３５】
このように前記傾動プレート１１に組み付けられる各整流板１０、１０…のうち、前記連通穴１１ｃとされる当該傾動プレート１１の軸穴１１ａに組み付けられる整流板１０が駆動側整流板１０’とされ、その余の整流板１０が従動側整流板１０”とされる。
【００３６】
駆動側整流板１０’は、前記傾動プレート１１の連通穴１１ｃにおける前記側板１０１への組み付け部１１ｂを構成する弾性掛合片１１ｄの突設位置よりも内側で、当該連通穴１１ｃの穴縁部に自身の前記弾性掛合片１０ｄの掛合爪１０ｅを掛合させる構成としてあり（図３、図４）、かかる駆動側整流板１０’の回動にあたってかかる傾動プレート１１の弾性掛合片１１ｄに自身の前記弾性掛合片１０ｄの掛合爪１０ｅを突き当てさせることがないようにしてある。
【００３７】
また、かかる駆動側整流板１０’は、前記一対の弾性掛合片１０ｄ、１０ｄ間に、前記連通穴１１ｃとこの連通穴１１ｃに連通された前記側板１０１の軸穴１０４とを通じて、当該側板１０１の外側、すなわち、前記吹き出し口Ｆの外側に先端側を突き出させる長さの軸部１０ｆを有している。この軸部１０ｆは、間隔を開けて配された一対の突片１０ｇ、１０ｇとして構成されており、この一対の突片１０ｇ、１０ｇ間に後述する駆動ユニット３を構成する第二のギア３３の組み付け軸部３３ｂが挟み込まれた状態で、当該軸部１０ｆと組み付け軸部３３ｂとが、当該第二のギア３３の回動により駆動側整流板１０’を傾動させるように組み付けられる構成としてある。
【００３８】
また、主整流板列１を構成する各整流板１０、１０…はそれぞれ、前記鍔部１０ａにおける板状部１０ｃが設けられた側に、先端側に向かうに連れて細まる頭部１０ｉと、円周面を備えた頸部１０ｊとを備えた連結ピン体１０ｈを有している。そして、各整流板１０、１０…は、かかる連結ピン体１０ｈの頸部１０ｊに、この頸部１０ｊの回動を許容した状態で、掛合される孔１２ａを備えたリンクバー１２により相互に連結されている。この結果、この実施の形態にあっては、かかる主整流板列１を構成する駆動側整流板１０’の傾動がなされると、この傾動に伴って、当該駆動側整流板１０’と同じ向きに、同じ角度分、従動側整流板１０”を傾動させることができる。
【００３９】
次いで、前記副整流板列２を構成する各整流板２０、２０…は、いずれも、前記吹き出し口Ｆを構成する一方の側板１０１に接する鍔部２０ａを備えると共に、この鍔部２０ａを挟んだ一方側に当該側板１０１に設けられた軸穴１０４に回動可能に差し入れ、組み付けられる組み付け部２０ｂを、当該鍔部２０ａを挟んだ他方側に板状部２０ｃを有する構成としてある。かかる各整流板２０、２０…の組み付け部２０ｂはいずれも、先端に外向きの掛合爪２０ｅを備えた向き合った一対の弾性掛合片２０ｄ、２０ｄとして構成してある。また、各弾性掛合片２０ｄ、２０ｄは、その外面を前記軸穴１０４の円弧に沿った弧状面としている。そして、各整流板２０、２０…は、かかる一対の弾性掛合片２０ｄ、２０ｄを前記側板１０１の軸穴１０４に差し入れることに伴って当該軸穴１０４の穴縁に掛合爪２０ｅを突き当てさせて各弾性掛合片０ｄ、２０ｄを内向きに撓め、この掛合爪２０ｅが差入側と反対の側の当該軸穴１０４の穴縁を乗り越えた位置で各弾性掛合片２０ｄ、２０ｄを弾性復帰させて、掛合爪２０ｅを当該軸穴１０４の縁部に掛合させ、当該側板１０１の軸穴１０４に回動可能に組み付けられている。
【００４０】
このように前記側板１０１に組み付けられる副整流板列２を構成する各整流板２０、２０…のうち、前記主整流板列１に隣接した当該側板１０１の軸穴１０４に組み付けられる整流板２０が、後述する駆動ユニット３における副整流板側ギア３７の組み付け軸部３７ｂが組み付けられる回動軸部２０ｆを備えた整流板２０’とされる。
【００４１】
かかる回動軸部２０ｆは、前記一対の弾性掛合片２０ｄ、２０ｄ間にあって、前記側板１０１の軸穴１０４を通じて、当該側板１０１の外側、すなわち、前記吹き出し口Ｆの外側に先端側を突き出させる長さに構成され、かつ、互いに間隔を開けて配された一対の突片２０ｇ、２０ｇとして構成されており、この一対の突片２０ｇ、２０ｇ間に後述する駆動ユニット３を構成する副整流板側ギア３７の組み付け軸部３７ｂが挟み込まれた状態で、当該回動軸部２０ｆと組み付け軸部３７ｂとが、当該副整流板側ギア３７の回動により当該回動軸部２０ｆの設けられた整流板２０’を傾動させるように組み付けられる構成としてある。
【００４２】
また、副整流板列２を構成する各整流板２０、２０…はそれぞれ、前記鍔部２０ａにおける板状部２０ｃが設けられた側に、先端側に向かうに連れて細まる頭部２０ｉと、円周面を備えた頸部とを備えた連結ピン体２０ｈを有している。そして、各整流板２０、２０…は、かかる連結ピン体２０ｈの頸部に、この頸部の回動を許容した状態で、掛合される孔２１ａを備えたリンクバー２１により相互に連結されている。この結果、この実施の形態にあっては、かかる副整流板列２を構成する前記回動軸部２０ｆが設けられた整流板２０’の傾動がなされると、この傾動に伴って、当該整流板２０’と同じ向きに、同じ角度分、その余の整流板２０を傾動させることができる。
【００４３】
次いで、前記駆動ユニット３は、この実施の形態にあっては、前記吹き出し口Ｆの外側において、この吹き出し口Ｆを形作るフレーム１００の側板１０１の外面に組み付けられる箱状体であって、かかる側板１０１の外面に向けられた側に、前記主整流板列１を構成する傾動プレート１１に組み付けられる第一のギア３２の組み付け部３２ｂを突き出させると共に、前記副整流板列２を構成する整流板２０、２０…の一つの回動軸部２０ｆに組み付けられる副整流板側ギア３７の組み付け軸部３７ｂを突き出させた構成としてある。
【００４４】
より詳細には、かかる駆動ユニット３を構成する箱状体は、前記第一のギア３２の組み付け部３２ｂの突き出される穴３０ａと、前記副整流板側ギア３７の組み付け軸部３７ｂの突き出される穴３０ｂを備えた蓋板３０と、この蓋板３０により閉塞される開口３１ａを備えた本体３１とから構成してある。そして、この本体３１内に、前記第一のギア３２および前記主整流板列１を構成する駆動側整流板１０’を傾動させる第二のギア３３ならびに前記副整流板側ギア３７を回動させるモータ３６と、当該モータ３６の駆動力をこれらのギア３２、３３、３７に伝達する機構が収められている。
【００４５】
そこで先ず、前記主整流板列１を構成する駆動側整流板１０’を傾動させる機構および前記傾動プレート１１を傾動させる機構について説明する。
【００４６】
前記本体３１は、一端側に前記第一のギア３２を備え、かつ、他端側に前記副整流板側ギア３７を備えた細長い収納部３１ｃと、この細長い収納部３１ｃの一側側で、かつ、前記第一のギア３２の備えられた側において、この細長い収納部３１ｃに連通された張り出し状の収納部３１ｄを有する。
【００４７】
そして、この実施の形態にあっては、かかる張り出し状の収納部３１ｄ内に、駆動軸に組み付けられたギア３６ａを本体３１の底側に配した状態でモータ３６が組み付けられている。図中符号４３で示されるのは、かかるモータ３６への通電と制御をなすために、当該モータ３６に電気的に接続された配線ケーブルである。
【００４８】
そして、かかる本体３１には、かかる張り出し状の収納部３１ｄから前記第一のギア３２の備えられている細長い収納部３１ｃの一端側に向けて、（１）前記モータ３６のギア３６ａに噛み合う大径の下側ギア部３５ａと第三のギア３４に噛み合う上側ギア部３５ｂとを備えた伝達ギア３５
（２）伝達ギア３５の上側ギア部３５ｂに噛み合う大径の下側ギア部３４ａと、第二のギア３３のギア部３３ａおよびギア体３８の第一ギア部３８ａに噛み合う小径の上側ギア部３４ｂとを備えた第三のギア３４
（３）第三のギア３４の上側ギア部３４ｂの先端側において当該上側ギア部３４ｂに噛み合うギア部３３ａを備え、かつ、前記本体３１の開口３１ａ側に向けて回動中心から駆動側整流板１０’の軸部１０ｆへの組み付け軸部３３ｂを突き出し状に備えた第二のギア３３
（４）第三のギア３４の回動軸と第二のギア３３の回動軸との間であって、両ギア３４、３３の側方に回動軸を備え、かつ、当該第三のギア３４の上側ギア部３４ｂに対し第二のギア３３の噛み合い位置よりも下側で当該上側ギア部３４ｂに常時噛み合う幅の扇状をなす第一ギア部３８ａを下側に備えると共に、上側に第一のギア３２のギア部３２ａに噛み合う扇状をなす第二ギア部３８ｂを平面視において前記第一ギア部３８ａと重なり合わないように備えるギア体３８
（５）ギア体３８の第二ギア部３８ｂに、当該ギア体３８が前記第一ギア部３８ａと第三のギア３４との噛み合いによって所定の位置まで回動された状態において噛み合うギア部３２ａを備えると共に、回転軸線に沿って、前記第二のギア３３の組み付け軸部３３ｂを下方から差し入れさせる挿通穴３２ｄを有する内側筒部３２ｃと、この内側筒部３２ｃを内側に収めた外側筒部３２ｅとを前記本体３１の開口３１ａに向けられた側に備えた第一のギア３２、がそれぞれ配し、備えられている。
【００４９】
より詳細には、前記伝達ギア３５、第二のギア３３、第三のギア３４およびギア体３８はいずれも、前記本体３１の底板から開口３１ａ側に向けて互いに突き出す向きを平行とするように突設された軸桿３１ｂを回動可能に収める軸受穴を有しており、かかる軸桿３１ｂを中心に回動可能に組み付けられている。また、前記第一のギア３２は、第二のギア３３の回動軸線に沿って突き出された組み付け軸部３３ｂを前記挿通穴３２ｄに差し入れて組み付けられていることから、これら各ギア３２、３３、３４、３５およびギア体３８は回転軸線を互いに平行に配して、回動するものとされる。
【００５０】
そして、この実施の形態にあっては、前記第一のギア３２の外側筒部３２ｅの先端側に、当該外側筒部３２ｅの筒軸を挟んだ両側部において、当該外側筒部３２ｅの筒端において開放された掛合溝３２ｆが設けてあり、この掛合溝３２ｆが前記フレーム１００の軸穴１０４を介して前記傾動プレート１１に組み付けられる組み付け部３２ｂとしてある。
【００５１】
すなわち、この実施の形態にあっては、前記フレーム１００の軸穴１０４に回動可能に差し入れ、掛合された前記傾動プレート１１の四つの弾性掛合片１１ｄ、１１ｄ…の内側に、前記第一のギア３２の前記外側筒部３２ｅを収めた状態で、前記吹き出し口Ｆを構成するフレーム１００の外側に駆動ユニット３を取り付けることができる構成としてあると共に、このように四つの弾性掛合片１１ｄ、１１ｄ…の内側に収めた第一のギア３２の外側筒部３２ｅの前記一対の掛合溝３２ｆ、３２ｆにそれぞれ、前記掛合突部１１ｆを備えた向き合った一対の弾性掛合片１１ｄ、１１ｄの当該掛合突部１１ｆが、嵌り込む構成としてある。
【００５２】
また、この実施の形態にあっては、前記駆動ユニット３の取り付けにあたり、前記第一のギア３２の挿通穴３２ｄに差し入れられた第二のギア３３の組み付け軸部３３ｂが、前記傾動プレート１１の連通穴１１ｃとこの連通穴１１ｃに連通された前記側板１０１の軸穴１０４を通じて前記吹き出し口Ｆの外側に突き出される前記駆動側整流板１０’の軸部１０ｆを構成する一対の突片１０ｇ、１０ｇ間に入り込み、組み付けられる構成としてある。かかる第二のギア３３の組み付け軸部３３ｂは、平板状をなし、その板面を前記一対の突片１０ｇ、１０ｇの向き合った面にそれぞれ接しさせることから、第二のギア３３の回転に伴って前記駆動側整流板１０’は前記傾動プレート１１の連通穴１１ｃを軸受として傾動される。
【００５３】
この結果、この実施の形態にあっては、前記モータ３６の駆動軸を所定量正逆に順次に回動させるように当該モータ３６を制御することにより、前記伝達ギア３５および第三のギア３４を通じて第二のギア３３を所定の角度分正逆順次に回動させることができ、この第二のギア３３の回動により、風の吹き出し方向に板面を沿わせた基準位置Ｓ（図９、図１０）を中心として、両側に向けてそれぞれ所定の角度、駆動側整流板１０’および前記リンクバー１２により連結された従動側整流板１０”を傾動させることができる。（図１２、図１４）この実施の形態にあっては、前記基準位置Ｓを中心に、駆動ユニット３を前記本体３１の開口３１ａ側から視た状態において、時計回りの向きに約３０度、反時計回りの向きに約３２度、前記各整流板１０、１０…を傾動させるように前記第二のギア３３を回動させることができる構成としてある。これにより、前記吹き出し口Ｆから吹き出される風の向きを各整流板１０、１０…により変移させることができる。（図１２、図１４以下、通常傾動状態Ｍａという。）
【００５４】
また、この実施の形態にあっては、前記通常傾動状態Ｍａにおいては、前記ギア体３８の第二ギア部３８ｂが第一のギア３２のギア部３２ａに噛み合わないように、当該第二ギア部３８ｂが形成してある。（図１３、図１５）そして、この実施の形態にあっては、前記駆動ユニット３を前記本体３１の開口３１ａ側から視た状態において、時計回りの向きに３０度を越えて各整流板１０、１０…を回動させる位置まで第二のギア３３を回動させるように第三のギア３４が回動されると、この第三のギア３４に常時第一ギア部３８ａを噛み合わせて回動されるギア体３８の前記第二ギア部３８ｂが第一のギア３２のギア部３２ａに噛み合い初め、当該第一のギア３２を回動させる。このように第一のギア３２が回動されると、この第一のギア３２の前記外側筒部３２ｅに弾性掛合片１１ｄを組み付けられている前記傾動プレート１１は、前記側板１０１の軸穴１０４を中心に傾動され、この傾動プレート１１の傾動により主整流板列１が全体として傾動される。（図１６、図１７以下、全体傾動状態Ｍｂという。）
【００５５】
このように傾動プレート１１が前記第一のギア３２の回動により、すなわち、前記ギア体３８の回動により傾動させる間も、当該ギア体３８を回動させる前記第三のギア３４の回動により前記第二のギア３３は回動されることから、主整流板列１を構成する各整流板１０、１０…はさらに傾動されるに至り、この実施の形態にあっては前記基準位置Ｓを中心に時計回りの向きにさらに各整流板１０、１０…は回動されるに至る。この結果、この実施の形態にあっては、最終的には図１６に示されるように、各整流板１０、１０…がそれぞれ略同一の平面上に板面を沿わせた状態で、吹き出し口Ｆの中央１０３側から側端１０２側に向けて吹き出し口Ｆの奥側に漸次引き込まれるように前記主整流板列１を全体として傾動させることができ、このように傾動された主整流板列１によって、この主整流板列１側に吹き出される風の大部分を吹き出し口Ｆの中央１０３側に集中的に案内させることができる。
【００５６】
前記全体傾動状態Ｍｂを作り出すように傾動された前記傾動プレート１１は、前記モータ３６の回転の向きを変えることにより、再び傾動前の位置に復帰させる。
【００５７】
すなわち、図１６に示されるように傾動プレート１１が傾動された状態から前記モータ３６の回転の向きを変えると、第三のギア３４の回転の向きが切り替えられ、この第三のギア３４に第一ギア部３８ａを噛み合わせているギア体３８の回転の向きが切り替えられ、このギア体３８の第二ギア部３８ｂに噛み合わされている第一のギア３２が回動前の位置に向けて回動され、この第一のギア３２の回動に伴って傾動プレート１１は傾動前の位置に移動、復帰される。
【００５８】
なお、この実施の形態にあっては、前記ギア体３８の先端部に、当該ギア体３８の回転軸線に沿って突き出す突部３８ｃが設けてあると共に、前記第一のギア３２に、当該第一のギア３２の回転軸線に略直交する向きで、ギア体３８の側に向け張り出す板状の張り出し部３２ｇが設けてある。また、かかる張り出し部３２ｇに、前記ギア体３８の先端部に設けた突部３８ｃの収まる穴３２ｈが設けてある。
【００５９】
前記ギア体３８の突部３８ｃは、横断面形状において、長さ側と幅側とを備えた細長い形状に構成してある。また、前記第一のギア３２の張り出し部３２ｇに設けた穴３２ｈは、かかるギア体３８の突部３８ｃの長さ側の寸法よりもやや大きい直径を有する円形穴部３２ｉと、この円形穴部３２ｉに対し連通された案内穴部３２ｋとを有している。そして、この実施の形態にあっては、かかる円形穴部３２ｉと案内穴部３２ｋとの連通部３２ｊの幅が、前記ギア体３８の突部３８ｃのおける長さ側の寸法よりも小さく、かつ、当該突部３８ｃの幅側の寸法よりも大きく構成してある。
【００６０】
また、かかるギア体３８と第一のギア３２とは、前記通常傾動状態Ｍａの間においては、当該ギア体３８の前記突部３８ｃの幅側が前記穴３２ｈの連通部３２ｊに向き合わず、かつ、当該通常傾動状態Ｍａから前記全体傾動状態Ｍｂに移行する直前で、当該ギア体３８の突部３８ｃの幅側が当該穴３２ｈの連通部３２ｊに向き合うように、組み合わされる構成としてある。
【００６１】
この結果、この実施の形態にあっては、前記通常傾動状態Ｍａの間は、前記第三のギア３４の回動によりこの第三のギア３４に第一ギア部３８ａを噛み合わせた前記ギア体３８も回動されるが、このように回動されるギア体３８の前記突部３８ｃは前記第一のギア３２の張り出し部３２ｇの穴３２ｈにおける円形穴部３２ｉ内から抜け出さないように当該円形穴部３２ｉ内で回動されることとなり、この円形穴部３２ｉ内への突部３８ｃの収まりにより、かかる通常傾動状態Ｍａの間において第一のギア３２の非回動状態を安定的に保つことができる。（図１９、図２０、図２１）
【００６２】
また、前記全体傾動状態Ｍｂに移行された後は、前記第一のギア３２の張り出し部３２ｇの穴３２ｈにおける連通部３２ｊから案内穴部３２ｋに向けて、当該第一のギア３２の回動に伴って前記ギア体３８の突部３８ｃを抜き出させることができ、かかる第一のギア３２の回動に支障を生じさせることがない。（図２２、図２３、図２４）
【００６３】
また、この実施の形態にあっては、前記第一のギア３２の張り出し部３２ｇにおける前記穴３２ｈの案内穴部３２ｋの側方に、前記全体傾動状態Ｍｂを作り出すように当該第一のギア３２が回動された状態において、前記ギア体３８の第二ギア部３８ｂにおける当該第一のギア３２との噛み合いが最初になされる側と反対の側に設けられた突片部３８ｄに対し、当該ギア体３８の回動の向きが前記全体傾動状態Ｍｂを再び通常傾動状態Ｍａに戻す向きに切り替えられた際に突き当たる壁面３２ｍが形成してある。
【００６４】
この結果、この実施の形態にあっては、前記ギア体３８の回動の向きが前記全体傾動状態Ｍｂを再び前記通常傾動状態Ｍａに戻す向きに切り替えられることに伴って、当該ギア体３８のおける第二ギア部３８ｂの突片部３８ｄにより前記壁面３２ｍを押圧して、前記第一のギア３２を回動前の位置に向けてスムースに回り戻させることができる。
【００６５】
次いで、前記駆動ユニット３における前記副整流板列２を構成する各整流板２０、２０…を傾動させる機構について説明する。
【００６６】
この実施の形態にあっては、かかる機構は、（１）前記駆動ユニット３の本体３１における細長い収納部３１ｃの長さ方向に沿って移動可能に組み付けられ、かつ、前記第二のギア３３のギア部３３ａに対し、このギア部３３ａの前記第三のギア３４との噛み合い側と反対の側に噛み合うラック部３９ｂを有する第一のスライドバー３９と、
（２）かかる細長い収納部３１ｃにおける第二のギア３３が設けられた側と反対の側に回動可能に組み付けられた副整流板側ギア３７のギア部３７ａに噛み合うラック部４０ｂを有し、かつ、かかる細長い収納部３１ｃの長さ方向に沿って移動可能に組み付けられた第二のスライドバー４０と、
（３）前記第一のスライドバー３９と第二のスライドバー４０の向き合った端部間に亙る長さを備え、かつ、連結穴３９ｄ、４０ｄとピン４１ａとを介してこの端部間に組み付けられる連結バー４１と、
（４）前記主整流板列１を構成する駆動側整流板１０’を傾動させる第二のギア３３の回転軸線と回転軸線を略平行とするように、本体３１の底面から立設された軸桿３１ｂを回動可能に収める軸受穴を有すると共に、当該本体３１の開口３１ａ側に向けて突き出される組み付け軸部３７ｂと、前記第二のスライドバー４０のラック部４０ｂに噛み合うギア部３７ａを備えた副整流板側ギア３７とを有している。
【００６７】
この実施の形態にあっては、前記駆動ユニット３の取り付けにあたり、前記副整流板側ギア３７の組み付け軸部３７ｂが、前記側板１０１の軸穴１０４を通じて前記吹き出し口Ｆの外側に突き出される前記副整流板列２を構成する一つの整流板２０’の回動軸部２０ｆを構成する一対の突片２０ｇ、２０ｇ間に入り込み、組み付けられる構成としてある。かかる副整流板側ギア３７の組み付け軸部３７ｂは、平板状をなし、その板面を前記一対の突片２０ｇ、２０ｇの向き合った面にそれぞれ接しさせることから、副整流板側ギア３７の回転に伴って前記副整流板列２を構成する一つの整流板２０’は前記側板１０１の軸穴１０４を軸受として傾動される。
【００６８】
より詳細には、前記第一、第二のスライドバー３９、４０はいずれも、前記本体３１の細長い収納部３１ｃに、当該収納部３１ｃの長さ方向に向けて設けられたガイドリブ３１ｅを収める溝部３９ｃ、４０ｃを本体３１の底側に有しており、このガイドリブ３１ｅに沿って移動される構成としてある。
【００６９】
また、前記第一、第二のスライドバー３９、４０はいずれも、互いに向き合った端部側において、前記ラック部３９ｂ、４０ｂが設けられた側に向けて張り出す張り出し板部３９ａ、４０ａを有しており、この張り出し板部３９ａ、４０ａに前記連結バー４１の両端部に設けられたピン４１ａを個別に収め、この連結バー４１による前記連結をなさしめる連結穴３９ｄ、４０ｄを有している。
【００７０】
この結果、この実施の形態にあっては、前記主整流板列１の通常傾動状態Ｍａにおいて、この主整流板列１を構成する駆動側整流板１０’を傾動させる前記第二のギア３３の回動に伴って前記第一、第二のスライドバー３９、４０を移動させ、この第二のスライドバー４０のラック部４０ｂに噛み合う副整流板側ギア３７をかかる第二のギア３３と同じ向きに、同じ角度分回動させることができる。これにより、前記通常傾動状態Ｍａにおいて、副整流板列２を構成する各整流板２０、２０…を主整流板列１を構成する各整流板１０、１０…と同じ向きに、同じ角度分傾動させることができる。
【００７１】
また、この実施の形態にあっては、前記主整流板列１の前記全体傾動状態Ｍｂにおいては、当該全体傾動状態Ｍｂ下での前記第二のギア３３の回動にかかわらず、前記副整流板側ギア３７を回動させない構成が採られている。
【００７２】
すなわち、この実施の形態にあっては、前記全体傾動状態Ｍｂに入る直前まで前記第二のギア３３が回動された状態において、この第二のギア３３の回動により当該第二のギア３３側から離れる向きに移動される前記第二のスライドバー４０の前記第一のスライドバー３９と向き合わない側の端部４０ｆが、前記本体３１の内壁面を阻止部３１ｆとして当該阻止部３１ｆに突き当たり、当該向きのそれ以上の移動を阻止される構成としてある。
【００７３】
また、前記第二のスライドバー４０には、前記連結バー４１のピン４１ａの差し入れられる連結穴４０ｄに連通された当該ピン４１ａの逃がし溝４０ｅが、この連結穴４０ｄへの連通側から当該第二のスライドバー４０における第一のスライドバー３９に向き合わない端部４０ｆ側に向けて、漸次当該第二のスライドバー４０の長さ方向に亙る側縁から離れ出すように傾斜状に設けてある。
【００７４】
この結果、この実施の形態にあっては、前記第二のスライドバー４０の前記第一のスライドバー３９に向き合わない側の端部４０ｆが、前記阻止部３１ｆに突き当たった状態から、前記第二のギア３３の回動によりさらに当該第一のスライドバー３９が第二のスライドバー４０の側に移動されても、この第一のスライドバー３９により押される前記連結バー４１の移動を、当該連結バー４１における前記第二のスライドバー４０の連結穴４０ｄに収められたピン４１ａを前記逃がし溝４０ｅに沿って移動させることにより、許容することができる。
【００７５】
前記全体傾動状態Ｍｂから、前記第二のギア３３の回転の向きが切り替わると、当該第二のギア３３の回転に伴って前記連結バー４１が当該第二のギア３３の側に引かれ、この連結バー４１の移動により第二のスライドバー４０の前記逃がし溝４０ｅの最奥側に位置された前記ピン４１ａは再び前記連結穴４０ｄに収まる位置まで移動される。（なお、符号４２で示されるのは、かように移動された第二のスライドバー４０を戻し易くするためのバネである。）この実施の形態にあっては、かかる連結穴４０ｄに前記ピン４１ａが再び収められた段階で、前記全体傾動状態Ｍｂが終了し、前記通常傾動状態Ｍａが開始される構成としてある。そして、この後、さらに前記第二のギア３３が回動されることに伴って前記連結バー４１が当該第二のギア３３側に引かれると、前記第二のスライドバー４０の連結穴４０ｄに収まった前記ピン４１ａにより、当該第二のスライドバー４０は再び前記第二のギア３３の設けられた箇所に近付く向きに移動されるに至り、この第二のスライドバー４０の移動により前記副整流板側ギア３７が当該第二のギア３３と同じ向きに回動され始め、主整流板列１を構成する各整流板１０、１０…の傾動に連動した副整流板列２を構成する各整流板２０、２０…の傾動が再び開始される。
【００７６】
（ルーバＲ’）
次いで、図２５ないし図２９に基づいて、以上の構成を備えたルーバ機構Ｒを用いて構成されるルーバＲ’の典型的な実施の形態の一つを説明する。
【００７７】
この実施の形態にかかるルーバＲ’は、細長い風の吹き出し口Ｆを有すると共に、この吹き出し口Ｆの中央１０３部を挟んだ両側にそれぞれ、この吹き出し口Ｆを形作るフレーム１００を構成する長さ方向に亙る一方の側板１０１の内側に各整流板１０…、２０…を、外側に前記駆動ユニット３を配するようにした前記ルーバ機構Ｒを備えた構成としてある。
【００７８】
より詳細には、この実施の形態にあっては、前記吹き出し口Ｆの中央１０３部を挟んだ両側に設けられたルーバ機構Ｒがそれぞれ、当該吹き出し口Ｆの中央１０３側に前記副整流板列２を配し、かつ、当該吹き出し口Ｆの側端１０２側に前記主整流板列１を配した構成としてある。そして、いずれのルーバ機構Ｒも、主整流板列１を構成する傾動プレート１１を、前記全体傾動状態Ｍｂにおいて当該傾動プレート１１における当該吹き出し口Ｆの側端１０２に向けられた側を当該吹き出し口Ｆの奥側に引き込ませる向きに当該傾動プレート１１を傾動させるようにしてある。
【００７９】
すなわち、この実施の形態にあっては、一対のルーバ機構Ｒの一方が他方に対し、前記吹き出し口Ｆの中央１０３部を中心に対称の形状となり、かつ、前記主整流板列１、副整流板列２及び駆動ユニット３ならびに当該駆動ユニット３を構成するモータ３６、各ギア３２、３３、３４、３５、３７、ギア体３８、第一、第二のスライドバー３９、４０及び連結バー４１の配置をすべて対称とするように構成してある。
【００８０】
この結果、この実施の形態にかかるルーバＲ’によれば、前記一対のルーバ機構Ｒを構成する各整流板１０…、２０…を前記通常傾動状態Ｍａに置き、かつ、当該一対のルーバ機構Ｒを構成する各整流板１０…、２０…がそれぞれ同じ向き、同じ角度に傾動されるように、当該ルーバ機構Ｒを構成するモータ３６を制御することにより、吹き出される風を全体として、前後、または、左右に振り分けることができる。
【００８１】
また、前記一対のルーバ機構Ｒの一方を構成する各整流板１０…、２０…を前記通常傾動状態Ｍａに留めた状態で、この一方のルーバ機構Ｒの各整流板１０…、２０…と他方のルーバ機構Ｒの副整流板列２を構成する整流板２０とが略平行になった段階で、当該他方のルーバ機構Ｒの主整流板列１を全体傾動状態Ｍｂとするように当該ルーバ機構Ｒを構成するモータ３６を制御することにより、この他方のルーバ機構Ｒ側から吹き出される風の全部あるいは大半を、一方のルーバ機構Ｒの側から集中的に吹き出させることができる。（図２７、図２８）
【００８２】
また、前記一対のルーバ機構Ｒの一方を構成する各整流板１０…、２０…と他方を構成する各整流板１０…、２０…とがそれぞれ、各整流板１０…、２０…の前側を前記吹き出し口Ｆの中央１０３側に向けるように傾動された状態で、双方のルーバ機構Ｒの主整流板列１を全体傾動状態Ｍｂとするように当該ルーバ機構Ｒを構成するモータ３６を制御することにより、双方のルーバ機構Ｒ側から吹き出される風の全部あるいは大半を、吹き出し口Ｆの中央１０３部から集中的に吹き出させることができる。（図２９）
【００８３】
【発明の効果】
この発明にかかるルーバ機構およびルーバによれば、吹き出し口から吹き出される風を、各整流板の傾動により前後、または、左右に振り分けることができると共に、この各整流板が所定の角度分傾動された位置でこの各整流板が回動可能に組み付けられている傾動プレートを全体として傾動させて、吹き出される風の全部あるいは大部分を所定の方向に集中的に案内することができる。
【図面の簡単な説明】
【図１】ルーバ機構Ｒの概要を示す斜視図
【図２】特に、主整流板列１の構成の概要を示す分解斜視図
【図３】ルーバ機構Ｒの概要を示す断面図
【図４】駆動側整流板１０’の組み付け部分、第一のギア３２および第二のギア３３の断面図
【図５】駆動ユニット３の概要を示す分解斜視図
【図６】駆動ユニット３の要部斜視図（第一のギア３２と第二のギア３３組み合わせ状態）
【図７】駆動ユニット３の要部斜視図（第一のギア３２と第二のギア３３分離状態）
【図８】第一のギア３２とギア体３８との組み合わせ状態を示す平面図
【図９】ルーバ機構Ｒの概要を示す正面図（基準位置Ｓ）
【図１０】ルーバ機構Ｒの概要を示す平面図（基準位置Ｓ）
【図１１】駆動ユニット３の概要を示す平面図（基準位置Ｓ）
【図１２】ルーバ機構Ｒの概要を示す平面図（通常傾動状態Ｍａ）
【図１３】  駆動ユニット３の概要を示す平面図（通常傾動状態Ｍａ）
【図１４】ルーバ機構Ｒの概要を示す平面図（通常傾動状態Ｍａ）
【図１５】駆動ユニット３の概要を示す平面図（通常傾動状態Ｍａ）
【図１６】ルーバ機構Ｒの概要を示す平面図（全体傾動状態Ｍｂ）
【図１７】駆動ユニット３の概要を示す平面図（全体傾動状態Ｍｂ）
【図１８】駆動ユニット３の概要を示す平面図（全体傾動状態Ｍｂ）
【図１９】第一のギア３２とギア体３８との組み合わせ状態を示す断面図
【図２０】第一のギア３２とギア体３８との組み合わせ状態を示す断面図
【図２１】第一のギア３２とギア体３８との組み合わせ状態を示す断面図
【図２２】第一のギア３２とギア体３８との組み合わせ状態を示す断面図
【図２３】第一のギア３２とギア体３８との組み合わせ状態を示す断面図
【図２４】第一のギア３２とギア体３８との組み合わせ状態を示す断面図
【図２５】ルーバＲ’の構成の概要を示す要部斜視図
【図２６】ルーバＲ’の構成の概要を示す要部斜視図
【図２７】ルーバＲ’の構成の概要を示す平面図
【図２８】ルーバＲ’の構成の概要を示す平面図
【図２９】ルーバＲ’の構成の概要を示す平面図
【符号の説明】
Ｆ  吹き出し口
１００  フレーム
１０４  軸穴
１０’  駆動側整流板
１０ｆ  軸部
１０”  従動側整流板
１１  傾動プレート
１１ｂ  組み付け部
１１ｃ  連通穴
１２  リンクバー
３２  第一のギア
３２ｂ  組み付け部
３２ｄ  挿通穴
３３  第二のギア
３３ｂ  組み付け軸部
３４  第三のギア
３８  ギア体
３８ａ  第一ギア部
３８ｂ  第二ギア部
【図１】
0003896199.tif 000002
【図２】
0003896199.tif 000003
【図３】
0003896199.tif 000004
【図４】
0003896199.tif 000005
【図５】
0003896199.tif 000006
【図６】
0003896199.tif 000007
【図７】
0003896199.tif 000008
【図８】
0003896199.tif 000009
【図９】
0003896199.tif 000010
【図１０】
0003896199.tif 000011
【図１１】
0003896199.tif 000012
【図１２】
0003896199.tif 000013
【図１３】
0003896199.tif 000014
【図１４】
0003896199.tif 000015
【図１５】
0003896199.tif 000016
【図１６】
0003896199.tif 000017
【図１７】
0003896199.tif 000018
【図１８】
0003896199.tif 000019
【図１９】
0003896199.tif 000020
【図２０】
0003896199.tif 000021
【図２１】
0003896199.tif 000022
【図２２】
0003896199.tif 000023
【図２３】
0003896199.tif 000024
【図２４】
0003896199.tif 000025
【図２５】
0003896199.tif 000026
【図２６】
0003896199.tif 000027
【図２７】
0003896199.tif 000028
【図２８】
0003896199.tif 000029
【図２９】
0003896199.tif 000030